(57)【要約】【課題】室内空間のより広い範囲で空気を循環させることができる送風装置を提供することを目的とする。【解決手段】送風装置は、第１ファンを有し、第１ファンにより送風される空気を吹き出す第１吹出口が形成された第１本体と、筒状の形状を有し、長手方向の一端が第１吹出口に接続され、水平方向に延伸する第１送風筒と、を備え、第１送風筒の側面には、第１送風筒の長手方向に沿って第１開口部が形成されている。【選択図】図１
2019219124.tif 000002
【特許請求の範囲】
【請求項１】
第１ファンを有し、前記第１ファンにより送風される空気を吹き出す第１吹出口が形成された第１本体と、
筒状の形状を有し、長手方向の一端が前記第１吹出口に接続され、水平方向に延伸する第１送風筒と、
を備え、
前記第１送風筒の側面には、前記第１送風筒の長手方向に沿って第１開口部が形成されている送風装置。
【請求項２】
前記第１吹出口は、前記第１本体の第１側面に形成されている請求項１に記載の送風装置。
【請求項３】
前記第１本体のうち前記第１側面とは向きが異なる第２側面には、空気を吹き出す第２吹出口が形成されており、
筒状の形状を有し、長手方向の一端が前記第２吹出口に接続され、水平方向に延伸する第２送風筒をさらに備え、
前記第２送風筒の側面には、前記第２送風筒の長手方向に沿って第２開口部が形成されている請求項２に記載の送風装置。
【請求項４】
前記第１吹出口内又は前記第１送風筒内の圧力を検出する圧力センサをさらに備え、
前記第１ファンの回転速度は、前記圧力が一定になるように調節される請求項１〜請求項３のいずれか一項に記載の送風装置。
【請求項５】
第２ファンを有し、前記第２ファンにより送風される空気を吹き出す第３吹出口が形成された第２本体をさらに備え、
前記第１送風筒の長手方向の他端は、前記第３吹出口に接続される請求項１〜請求項４のいずれか一項に記載の送風装置。
【発明の詳細な説明】
【技術分野】
【０００１】
本発明は、ファンを有する送風装置に関するものである。
【背景技術】
【０００２】
特許文献１には、風向制御装置を備える送風装置が記載されている。風向制御装置は、気流の風向を制御する円筒状の風向制御体と、気流を流通させる開口を有する円筒状のケーシングと、を備えている。風向制御体は、ケーシング内に遊嵌されており、ケーシング内で回転駆動される。
【先行技術文献】
【特許文献】
【０００３】
【特許文献１】特開２０１４−２０６５２号公報
【発明の概要】
【発明が解決しようとする課題】
【０００４】
特許文献１には、風向制御体により通気路の上流側及び下流側の開口面積を制御することにより、集中気流と拡散気流とを切り替えることができ、気流を遠くまで届かせたり気流を送風装置の近傍に拡散させたりすることができることが記載されている。しかしながら、一般に、送風装置の大きさは、送風装置が設置される室内空間の大きさと比較すると小さく、送風装置の幅も、室内空間の幅と比較すると狭い。このため、送風装置の吹出口は、室内空間の全体に対しては点状の吹出口に過ぎない。したがって、送風装置の近傍に気流を拡散させたとしても、室内空間の広い範囲で空気を循環させるのは困難であるという課題があった。
【０００５】
本発明は、上述のような課題を解決するためになされたものであり、室内空間のより広い範囲で空気を循環させることができる送風装置を提供することを目的とする。
【課題を解決するための手段】
【０００６】
本発明に係る送風装置は、第１ファンを有し、前記第１ファンにより送風される空気を吹き出す第１吹出口が形成された第１本体と、筒状の形状を有し、長手方向の一端が前記第１吹出口に接続され、水平方向に延伸する第１送風筒と、を備え、前記第１送風筒の側面には、前記第１送風筒の長手方向に沿って第１開口部が形成されているものである。
【発明の効果】
【０００７】
本発明では、第１吹出口から吹き出された空気は、水平方向に延伸する第１送風筒に流入し、第１開口部から室内空間に吹き出される。第１開口部は第１送風筒の長手方向に沿って形成されているため、第１開口部は、水平方向に延びた線状の吹出口となる。これにより、第１開口部からは広い吹出し幅で空気が吹き出される。したがって、本発明によれば、室内空間のより広い範囲で空気を循環させることができる。
【図面の簡単な説明】
【０００８】
【図１】本発明の実施の形態１に係る空気清浄機１００の構成を示す斜視図である。
【図２】本発明の実施の形態２に係る空気清浄機１００の構成を示す斜視図である。
【図３】本発明の実施の形態２に係る空気清浄機１００の送風筒３０の内部構成を模式的に示す図である。
【図４】本発明の実施の形態２に係る空気清浄機１００の不使用時の構成を示す斜視図である。
【図５】本発明の実施の形態３に係る空気清浄機１００の構成を示す斜視図である。
【図６】本発明の実施の形態４に係る空気清浄機１００の構成を示す斜視図である。
【図７】本発明の実施の形態４に係る空気清浄機１００の構成の変形例を示す斜視図である。
【発明を実施するための形態】
【０００９】
実施の形態１．
本発明の実施の形態１に係る送風装置について説明する。本実施の形態では、送風装置として、室内空間の床面上に設置されるファン式の空気清浄機１００を例に挙げる。図１は、本実施の形態に係る空気清浄機１００の構成を示す斜視図である。図１に示すように、空気清浄機１００は、本体１０を有している。本体１０は、直方体状の箱形形状を有している。本体１０は、上方を向いた上面１０ａと、下方を向いた下面１０ｂと、水平方向を向いた４つの側面１０ｃ、１０ｄ、１０ｅ、１０ｆと、を備えている。側面１０ｃは、ユーザ側を向いた側面であり、本体１０の前面となる側面である。側面１０ｅは、側面１０ｃとは逆側を向いた側面であり、本体１０の背面となる側面である。側面１０ｄは、ユーザから見て右方向を向いた右側面である。側面１０ｆは、ユーザから見て左方向を向いた左側面である。
【００１０】
上面１０ａには、ユーザによる空気清浄機１００の操作が行われる操作部１１が設けられている。下面１０ｂには、床面上を走行する複数の車輪１２が設けられている。側面１０ｃには、室内空間の空気が吸い込まれる吸込口１３が形成されている。側面１０ｄのうちの下部には、吹出口１４が形成されている。吹出口１４からは、ユーザから見て右方向に向かって空気が吹き出される。本体１０の内部には、吸込口１３と吹出口１４とを連通する風路が形成されている。風路には、空気を送風するファン１５と、空気中に浮遊する微粒子を除去する不図示のフィルターとが設けられている。吸込口１３が形成された側面１０ｃと吹出口１４が形成された側面１０ｄとが垂直であるため、ファン１５としては、シロッコファン、ターボファン又はラジアルファン等の遠心ファンが用いられることが望ましい。フィルターとしては、例えばＨＥＰＡフィルターが用いられる。吹出口１４には、吹出口１４内又は後述する送風筒３０内の圧力を検出する圧力センサ１６が設けられている。ファン１５の回転速度は、圧力センサ１６で検出される圧力が一定になるように調節される。
【００１１】
本体１０は、空気清浄機１００を制御する制御部１７を有している。制御部１７は、ＣＰＵ、ＲＯＭ、ＲＡＭ、Ｉ／Ｏポート等を備えたマイクロコンピュータを有している。制御部１７は、操作部１１からの操作信号及び圧力センサ１６からの検出信号などに基づき、ファン１５を含む空気清浄機１００の全体の動作を制御するように構成されている。例えば、制御部１７は、圧力センサ１６で検出される圧力が一定の値に維持されるように、ファン１５の回転速度を制御する。
【００１２】
側面１０ｄに形成された吹出口１４に加えて、上面１０ａにも別の吹出口が形成されていてもよい。この場合、本体１０は、側面１０ｄの吹出口１４又は上面１０ａの吹出口のいずれか一方から空気が吹き出されるように風路を切り替える風路切替機構を有していてもよい。
【００１３】
空気清浄機１００は、送風筒３０をさらに有している。送風筒３０は、軸方向に長い円筒状等の筒状の形状を有している。送風筒３０の長手方向の一端３０ａは開口しており、他端３０ｂは閉塞されている。送風筒３０の長手方向の長さが十分に長い場合には、他端３０ｂは閉塞されていなくてもよい。送風筒３０の一端３０ａは、吹出口１４に着脱自在に接続されている。これにより、空気清浄機１００の運転中、送風筒３０の内部には、吹出口１４から吹き出される空気が流入する。送風筒３０は、例えば、可とう性を有する材料を用いて形成されている。送風筒３０は、自身の形状を筒状に維持できない程度に変形しやすい軟質プラスチックなどの材料を用いて袋状に形成されていてもよい。軟質プラスチックには、いわゆるビニールが含まれる。送風筒３０の長手方向の長さ寸法は、吹出口１４の幅寸法よりも長くなっている。また、送風筒３０の長手方向の長さ寸法は、本体１０の幅寸法、すなわち側面１０ｄと側面１０ｆとの間の距離よりも長くなっている。送風筒３０は、少なくともファン１５の動作中には、吹出口１４から吹き出される空気の流れ方向に沿って水平方向に延伸している。空気清浄機１００が使用されない場合には、送風筒３０は吹出口１４から取り外される。取り外された送風筒３０は、折り畳まれて本体１０内の収納空間に収納される。
【００１４】
送風筒３０の側面には、送風筒３０の長手方向に沿って１つ又は複数の開口部３１が形成されている。開口部３１は、送風筒３０の側面のうち上方を向いた面、すなわち送風筒３０の上面に形成されている。開口部３１は、例えば格子状又は千鳥状に配列している。送風筒３０の側面のうち開口部３１が形成される領域は、メッシュ構造となっていてもよい。開口部３１の開口形状を維持できる場合には、送風筒３０の長手方向に沿って直線状に延びるスリット状に形成されていてもよい。送風筒３０の内部に流入した空気は、送風筒３０の長手方向に沿った広い吹出し幅で、開口部３１から上向きに吹き出される。
【００１５】
次に、空気清浄機１００の動作について説明する。空気清浄機１００が使用される際には、本体１０が室内空間の隅に配置され、送風筒３０が室内空間の床及び壁に沿って延伸するように吹出口１４に取り付けられる。操作部１１でユーザによる運転開始操作が行われると、空気清浄機１００の運転が開始され、ファン１５が動作する。ファン１５が動作すると、室内空間の空気が吸込口１３に吸い込まれる。吸込口１３に吸い込まれた空気は、フィルターを通過し、吹出口１４から吹き出される。空気がフィルターを通過する際には、空気中に浮遊する微粒子がフィルターによって除去される。吹出口１４から吹き出された空気は、送風筒３０に流入する。送風筒３０が軟質プラスチックなどの変形しやすい材料で形成されている場合、送風筒３０は、空気の流入による内部圧力の上昇により膨らみ、吹出口１４から吹き出される空気の流れ方向に沿って水平方向に延伸する。
【００１６】
送風筒３０に流入した空気は、送風筒３０の側面に形成された開口部３１から室内空間に、上方に向かって壁沿いに吹き出される。開口部３１は送風筒３０の長手方向に沿って形成されているため、開口部３１からは広い吹出し幅で一様に空気が吹き出される。開口部３１から吹き出された空気は、室内空間の壁面に沿って均一に流れて天井面に達し、室内空間のより広い範囲を循環して吸込口１３に吸い込まれる。
【００１７】
本実施の形態では、送風筒３０が軟質プラスチックなどの変形しやすい材料で形成されている場合、送風筒３０の一部をユーザが切断することにより、送風筒３０の長手方向の長さを調節することができる。これにより、開口部３１から吹き出される空気の吹出し幅を、室内空間の大きさに合わせて容易に調節することができる。
【００１８】
以上説明したように、本実施の形態に係る空気清浄機１００は、本体１０と、送風筒３０と、を備えている。本体１０はファン１５を有している。本体１０には、ファン１５により送風される空気を吹き出す吹出口１４が形成されている。送風筒３０は、筒状の形状を有している。送風筒３０の長手方向の一端３０ａは、吹出口１４に接続されている。送風筒３０は水平方向に延伸する。送風筒３０の側面には、送風筒３０の長手方向に沿って開口部３１が形成されている。ここで、空気清浄機１００は送風装置の一例である。ファン１５は第１ファンの一例である。吹出口１４は第１吹出口の一例である。本体１０は第１本体の一例である。送風筒３０は第１送風筒の一例である。開口部３１は第１開口部の一例である。
【００１９】
この構成によれば、本体１０の吹出口１４から吹き出された空気は、水平方向に延伸した送風筒３０に流入し、開口部３１から室内空間に吹き出される。開口部３１は送風筒３０の長手方向に沿って形成されているため、開口部３１は水平方向に延びた線状の吹出口となる。これにより、開口部３１からは、広い吹出し幅で一様に空気が吹き出される。したがって、本実施の形態の送風装置によれば、室内空間のより広い範囲で空気をよどみなく循環させることができるとともに、室内空間の気流をより均一にすることができる。
【００２０】
一般的な送風装置では、空気の吹出し幅を水平方向で広くするためには、吹出口の幅を水平方向で広くする必要があった。これにより、送風装置本体の幅を広くする必要があった。これに対し、本実施の形態では、広い吹出し幅で空気を吹き出す開口部３１は、本体１０に着脱自在に接続される送風筒３０に形成されている。したがって、本実施の形態によれば、本体１０の幅の拡大を抑えつつ、空気の吹出し幅を水平方向で広くすることができる。また、空気清浄機１００が使用されない場合には、送風筒３０を本体１０から取り外すことができる。取り外された送風筒３０は、例えば、折り畳まれて本体１０内に収納されるか、又は本体１０に沿って立てて収納される。したがって、本実施の形態によれば、空気清浄機１００の収納スペースを削減することができる。
【００２１】
近年、ＰＭ２．５による大気汚染の影響や高気密住宅の増加により、室内のＩＡＱが悪化しやすくなっている。このため、室内空間の大きさ及び形状に合った空気清浄機が求められている。しかしながら、現在市場に出回っている空気清浄機の多くは箱形であり、上面に吹出口を有している。これらの空気清浄機の吹出口は点状の吹出口に過ぎないため、室内空間の広い範囲で空気を循環させるのが困難である。したがって、室内空間の広い範囲で空気を清浄に保つのは困難であった。これに対し、本実施の形態の空気清浄機１００では、送風筒３０の開口部３１が水平方向に延びた線状の吹出口となるため、室内空間のより広い範囲の空気を清浄に保つことができる。
【００２２】
また、本実施の形態に係る空気清浄機１００では、吹出口１４は、本体１０の側面１０ｄに形成されている。ここで、側面１０ｄは第１側面の一例である。この構成によれば、吹出口１４に接続された送風筒３０を容易に水平方向に延伸させることができる。
【００２３】
また、本実施の形態に係る空気清浄機１００は、吹出口１４内又は送風筒３０内の圧力を検出する圧力センサ１６をさらに備えている。ファン１５の回転速度は、上記圧力が一定になるように調節される。この構成によれば、送風筒３０内の圧力を一定の値に維持することができるため、一定風量の空気を開口部３１から安定して吹き出すことができる。
【００２４】
例えば、送風筒３０の長さがユーザにより短く調節された場合、送風筒３０内の圧力損失が低下するため、送風筒３０に流入する空気の動圧が必要以上に高くなってしまう。これにより、送風筒３０の開口部３１から吹き出される空気の風量が必要以上に増加してしまうとともに、送風筒３０内部の圧力バランスが変化してしまう。このため、開口部３１から吹き出される空気には、送風筒３０の長手方向で風速むらが生じてしまう場合がある。上記構成によれば、送風筒３０内の動圧が一定の値に維持されるため、開口部３１から吹き出される空気における送風筒３０の長手方向での風速むらを抑えることができる。
【００２５】
実施の形態２．
本発明の実施の形態２に係る送風装置について説明する。図２は、本実施の形態に係る空気清浄機１００の構成を示す斜視図である。なお、実施の形態１と同一の機能及び作用を有する構成要素については、同一の符号を付してその説明を省略する。図２に示すように、空気清浄機１００は、本体１０及び送風筒３０に加えて、本体１０とは別の本体２０をさらに有している。
【００２６】
本体２０は、本体１０と同様に、上方を向いた上面２０ａと、下方を向いた下面２０ｂと、水平方向を向いた４つの側面２０ｃ、２０ｄ、２０ｅ、２０ｆと、を備えている。側面２０ｃは、本体２０の前面となる側面である。側面２０ｅは、本体２０の背面となる側面である。側面２０ｄは右側面であり、側面２０ｆは左側面である。
【００２７】
本体２０は、本体１０に対して概ね左右対称の構成を有している。ただし、本体２０は本体１０と連動して動作するため、本体２０には操作部が設けられていない。下面２０ｂには、複数の車輪２２が設けられている。側面２０ｃには、室内空間の空気が吸い込まれる吸込口２３が形成されている。側面２０ｆのうちの下部には、吹出口２４が形成されている。吹出口２４からは、ユーザから見て左方向に空気が吹き出される。本体２０の内部には、吸込口２３と吹出口２４とを連通する風路が形成されている。風路には、ファン２５及びフィルターが設けられている。
【００２８】
本実施の形態では、送風筒３０の長手方向の他端３０ｂは開口している。送風筒３０の他端３０ｂは、本体２０の吹出口２４に着脱自在に接続されている。これにより、空気清浄機１００の運転中、送風筒３０の内部には、本体１０の吹出口１４から吹き出される空気が一端３０ａ側から流入するだけでなく、本体２０の吹出口２４から吹き出される空気も他端３０ｂ側から流入する。
【００２９】
図３は、本実施の形態に係る空気清浄機１００の送風筒３０の内部構成を模式的に示す図である。図３では、送風筒３０をその長手方向と垂直に切断した部分の構成を示している。図３に示すように、送風筒３０の内部には、空気を流通させる空気通路３２が長手方向に沿って形成されている。送風筒３０の上面には、空気を吹き出す開口部３１が長手方向に沿って形成されている。送風筒３０の中心軸を挟んで開口部３１と対向する位置には、空気通路３２から仕切られた配線通路３３が長手方向に沿って形成されている。配線通路３３には、一対の電源線３４と一対の信号線３５とが設けられている。一対の電源線３４及び一対の信号線３５のそれぞれの一端は、本体１０に設けられたコネクタに着脱自在に接続されている。一対の電源線３４及び一対の信号線３５のそれぞれの他端は、本体２０に設けられたコネクタに着脱自在に接続されている。本体２０には、一対の電源線３４を介して本体１０から電力が供給される。本体２０は、本体１０に設けられた制御部１７により、一対の信号線３５を介して制御される。
【００３０】
次に、空気清浄機１００の動作について説明する。操作部１１でユーザによる運転開始操作が行われると、空気清浄機１００の運転が開始され、本体１０のファン１５及び本体２０のファン２５が動作する。ファン１５が動作すると、室内空間の空気が吸込口１３に吸い込まれる。吸込口１３に吸い込まれた空気は、本体１０のフィルターを通過し、吹出口１４から吹き出される。吹出口１４から吹き出された空気は、一端３０ａ側から送風筒３０に流入する。ファン２５が動作すると、室内空間の空気が吸込口２３に吸い込まれる。吸込口２３に吸い込まれた空気は、本体２０のフィルターを通過し、吹出口２４から吹き出される。吹出口２４から吹き出された空気は、他端３０ｂ側から送風筒３０に流入する。送風筒３０には一端３０ａ側及び他端３０ｂ側の両方から空気が流入するため、送風筒３０内の空気の圧力は、送風筒３０の長手方向でより均一になる。これにより、開口部３１からは、送風筒３０の長手方向での風速むらが抑えられた空気が室内空間に吹き出される。
【００３１】
図４は、本実施の形態に係る空気清浄機１００の不使用時の構成を示す斜視図である。図４に示すように、空気清浄機１００が使用されない場合には、送風筒３０は、送風筒３０に内蔵されている電源線３４及び信号線３５と共に、本体１０及び本体２０から取り外される。取り外された送風筒３０は、例えば、本体１０内又は本体２０内の収納空間に収納される。本体１０と本体２０とは、不図示の連結部を介して互いに連結される。このように、空気清浄機１００が使用されない場合には、送風筒３０を取り外すことができるとともに本体１０及び本体２０を一体化させることができるため、空気清浄機１００の収納スペースを削減することができる。
【００３２】
以上説明したように、本実施の形態に係る空気清浄機１００は、ファン２５を有し、ファン２５により送風される空気を吹き出す吹出口２４が形成された本体２０をさらに備えている。送風筒３０の長手方向の他端３０ｂは、吹出口２４に接続される。ここで、空気清浄機１００は送風装置の一例である。ファン２５は第２ファンの一例である。吹出口２４は第３吹出口の一例である。本体２０は第２本体の一例である。この構成によれば、送風筒３０内の空気の圧力を長手方向でより均一にすることができるため、開口部３１から吹き出される空気における送風筒３０の長手方向での風速むらを抑えることができる。
【００３３】
実施の形態３．
本発明の実施の形態３に係る送風装置について説明する。図５は、本実施の形態に係る空気清浄機１００の構成を示す斜視図である。なお、実施の形態１と同一の機能及び作用を有する構成要素については、同一の符号を付してその説明を省略する。
【００３４】
図５に示すように、本実施の形態の本体１０は、側面１０ｄに形成された吹出口１４に加えて、側面１０ｄとは向きが異なる側面１０ｃに形成された吹出口１８を有している。吹出口１８の向きは、吹出口１４の向きに対して垂直になっている。本体１０は、ファン１５によって送風される空気が吹出口１４及び吹出口１８の双方から吹き出されるように構成されていてもよいし、ファン１５とは別のファンによって送風される空気が吹出口１８から吹き出されるように構成されていてもよい。
【００３５】
空気清浄機１００は、送風筒４０をさらに有している。送風筒４０は、送風筒３０と同一の材料で形成されており、実施の形態１の送風筒３０と同様の構成を有している。送風筒４０の長手方向の一端４０ａは開口しており、他端４０ｂは閉塞されている。送風筒４０の長手方向の長さが十分に長い場合には、他端４０ｂは閉塞されていなくてもよい。送風筒４０の一端４０ａは、吹出口１８に着脱自在に接続されている。これにより、空気清浄機１００の運転中、送風筒４０の内部には、吹出口１８から吹き出される空気が流入する。送風筒４０は、少なくともファン１５の動作中には、吹出口１８から吹き出される空気の流れ方向に沿って水平方向に延伸している。送風筒４０は、例えば、送風筒３０の延伸方向と垂直な方向に延伸している。空気清浄機１００が使用されない場合には、送風筒４０は吹出口１８から取り外される。取り外された送風筒４０は、折り畳まれて本体１０内の収納空間に収納される。
【００３６】
送風筒４０の側面には、送風筒４０の長手方向に沿って１つ又は複数の開口部４１が形成されている。開口部４１は、送風筒４０の側面のうち上方を向いた面、すなわち送風筒４０の上面に形成されている。開口部４１は、開口部３１と同様の構成を有している。送風筒４０の内部に流入した空気は、送風筒４０の長手方向に沿った広い吹出し幅で、開口部４１から上向きに吹き出される。
【００３７】
空気清浄機１００が使用される際には、室内空間のうち互いに垂直な２つの壁の間に位置する角部に本体１０が配置され、送風筒３０が一方の壁に沿って延伸するように取り付けられ、送風筒４０が他方の壁に沿って延伸するように取り付けられる。これにより、送風筒３０の開口部３１からは一方の壁に沿って空気を吹き出すことができ、送風筒４０の開口部４１からは他方の壁に沿って空気を吹き出すことができる。したがって、室内空間の２面の壁に沿って、それぞれ広い吹出し幅で空気を吹き出すことができる。
【００３８】
以上説明したように、本実施の形態に係る空気清浄機１００では、本体１０のうち側面１０ｄとは向きが異なる側面１０ｃには、空気を吹き出す吹出口１８が形成されている。空気清浄機１００は、送風筒４０をさらに備えている。送風筒４０は、筒状の形状を有している。送風筒４０の長手方向の一端４０ａは、吹出口１８に接続される。送風筒４０は水平方向に延伸する。送風筒４０の側面には、送風筒４０の長手方向に沿って開口部４１が形成されている。ここで、空気清浄機１００は送風装置の一例である。側面１０ｃは第２側面の一例である。吹出口１８は第２吹出口の一例である。送風筒４０は第２送風筒の一例である。開口部４１は第２開口部の一例である。この構成によれば、室内空間の２面の壁に沿って、それぞれ広い吹出し幅で空気を吹き出すことができる。したがって、室内空間のより広い範囲で空気をよどみなく循環させることができるとともに、室内空間の気流をより均一にすることができる。
【００３９】
実施の形態４．
本発明の実施の形態４に係る送風装置について説明する。図６は、本実施の形態に係る空気清浄機１００の構成を示す斜視図である。なお、実施の形態１と同一の機能及び作用を有する構成要素については、同一の符号を付してその説明を省略する。
【００４０】
図６に示すように、本実施の形態では、本体１０の吹出口１４が上面１０ａに形成されている。吹出口１４には、縦ダクト５０の長手方向の一端５０ａが着脱自在に接続されている。縦ダクト５０は、四角筒状の形状を有しており、上下方向に延伸している。縦ダクト５０の他端５０ｂ側には、縦ダクト５０の吹出口５１が形成されている。吹出口５１は、縦ダクト５０の側面に側方を向いて形成されている。吹出口５１には、送風筒３０の一端３０ａが着脱自在に接続されている。すなわち、送風筒３０の一端３０ａは、縦ダクト５０を介して本体１０の吹出口１４に接続されている。送風筒３０の他端３０ｂは閉塞されている。送風筒３０の長手方向の長さが十分に長い場合には、他端３０ｂは閉塞されていなくてもよい。送風筒３０は、少なくともファン１５の動作中には、吹出口５１から吹き出される空気の流れ方向に沿って水平方向に延伸している。送風筒３０は、室内空間の壁の上部又は天井に沿って水平方向に延伸するように、縦ダクト５０に対して取り付けられている。送風筒３０には、送風筒３０の長手方向に沿って開口部３１が形成されている。開口部３１は、例えば、送風筒３０の側面のうち下方又は側方を向いた面に形成されている。
【００４１】
本体１０の吹出口１４から吹き出された空気は、縦ダクト５０を経由して送風筒３０に流入する。送風筒３０に流入した空気は、開口部３１から室内空間に吹き出される。本実施の形態においても、開口部３１は、水平方向に延びた線状の吹出口となる。したがって、本実施の形態によれば、室内空間のより広い範囲で空気をよどみなく循環させることができるとともに、室内空間の気流をより均一にすることができる。
【００４２】
図７は、本実施の形態に係る空気清浄機１００の構成の変形例を示す斜視図である。図７に示すように、本変形例では、送風筒３０が四角筒状の形状を有している。また、送風筒３０は、変形しにくく自身の形状を維持できる材料を用いて形成されている。送風筒３０の他端３０ｂは、支持部材５２によって室内空間の床面に対して支持されている。送風筒３０は、室内空間の壁面に固定されていてもよい。送風筒３０が室内空間の壁面に固定される場合には、支持部材５２を省略することができる。本変形例によっても、図６に示した構成と同様の効果が得られる。
【００４３】
上記実施の形態１〜４では、送風装置として、フィルターを備えた送風装置である空気清浄機１００を例に挙げたが、本発明は、熱交換器を備えた送風装置である空気調和機若しくは除湿機、又は他の送風装置にも適用可能である。
【００４４】
上記実施の形態１〜４及び変形例は、互いに組み合わせて実施することが可能である。
【符号の説明】
【００４５】
１０  本体、１０ａ  上面、１０ｂ  下面、１０ｃ、１０ｄ、１０ｅ、１０ｆ  側面、１１  操作部、１２  車輪、１３  吸込口、１４  吹出口、１５  ファン、１６  圧力センサ、１７  制御部、１８  吹出口、２０  本体、２０ａ  上面、２０ｂ  下面、２０ｃ、２０ｄ、２０ｅ、２０ｆ  側面、２２  車輪、２３  吸込口、２４  吹出口、２５  ファン、３０  送風筒、３０ａ  一端、３０ｂ  他端、３１  開口部、３２  空気通路、３３  配線通路、３４  電源線、３５  信号線、４０  送風筒、４０ａ  一端、４０ｂ  他端、４１  開口部、５０  縦ダクト、５０ａ  一端、５０ｂ  他端、５１  吹出口、５２  支持部材、１００  空気清浄機。
【図１】
2019219124.tif 000003
【図２】
2019219124.tif 000004
【図３】
2019219124.tif 000005
【図４】
2019219124.tif 000006
【図５】
2019219124.tif 000007
【図６】
2019219124.tif 000008
【図７】
2019219124.tif 000009